(57)【特許請求の範囲】
【請求項１】
コンピュータ資源を利用してインターネットにおけるＷｅｂブラウザから所定のアドレスへアクセスしたユーザーの電子メールアドレスを、前記アドレスに対応する受信者の第１サーバ装置に登録するユーザー登録システムにおいて、
前記第１サーバ装置は、電子メールを送受信可能なメール送受信機能を備え、前記第１サーバ装置と前記ユーザーの端末装置とが前記インターネットを介して接続中に、
前記ユーザーから送信された該ユーザーの前記電子メールアドレス宛てに、前記第１サーバ装置が生成したチェックメールを、前記端末装置に対して該チェックメールを配信可能な第２サーバ装置に送信するチェックメール送信手段と、
前記第２サーバ装置から送信された前記チェックメールに対する返信コードに基づいて、該第２サーバ装置に前記電子メールアドレスが存在しないと判断した場合、前記端末装置に電子メールアドレスの再入力を指示する第１再入力指示手段と、
前記第２サーバ装置から送信された前記チェックメールに対する返信コードに基づいて、該第２サーバ装置に前記電子メールアドレスが存在すると判断した場合、前記電子メールアドレスを前記第１サーバ装置の内部アドレスファイルに記憶するユーザー登録手段と、
を有することを特徴とするユーザー登録システム。
【請求項２】
前記第１サーバ装置は、前記チェックメールを送信する前に、前記ユーザーの前記電子メールアドレスが前記第１サーバ装置の内部アドレスファイルに存在するかを検索するメールアドレス検索手段を有し、
前記電子メールアドレスが前記内部アドレスファイルに存在すると判断した場合、前記チェックメールを送信することなく、前記ユーザー登録手段を実行し、
前記電子メールアドレスが前記内部アドレスファイルに存在しないと判断した場合、前記チェックメール送信手段を実行する請求項１記載のユーザー登録システム。
【請求項３】
前記第１サーバ装置は、前記チェックメールを送信する前に、
前記ユーザーのドメインネームが前記インターネットにおけるネットワーク上に実在するかを検索するドメインネーム検索手段と、
前記ドメインネームが実在しないと判断した場合、前記端末装置に電子メールアドレスの再入力を指示する第２再入力指示手段とを有し、
前記ドメインネームが実在すると判断した場合、前記チェックメール送信手段を実行する請求項１または請求項２に記載のユーザー登録システム。
【請求項４】
前記第１サーバ装置は、前記ユーザー登録手段を実行した後に、該第１サーバ装置が生成したユーザー登録確認メールを前記第２サーバ装置に送信する確認メール送信手段を有する請求項１ないし請求項３いずれかに記載のユーザー登録システム。
【発明の詳細な説明】
【０００１】
【発明の属する技術分野】
本発明は、インターネットにおけるＷｅｂブラウザから所定のアドレスへアクセスしたユーザーが、そのアドレスに対応する受信者に対して取引を行う際に、そのユーザーの電子メールアドレスを受信者のサーバ装置に登録するユーザー登録システムに関する。
【０００２】
【従来の技術】
コンピュータ資源を利用し、インターネットにおけるＷｅｂブラウザから所定のアドレスへアクセスしたユーザーが、そのアドレスに対応する受信者に対してインターネット上で取引を行うネットビジネスが普及している。ネットビジネスにおける取引では、ユーザーの電子メールアドレスが受信者のサーバ装置に登録され、取引後における新製品の紹介やサービス内容の紹介等が電子メールによってユーザーに提供される。ユーザー登録の一例を、イベント会場への入場申込みのときに行われるイベント来場者事前登録を例として説明すると、以下のとおりである。
【０００３】
イベント会場への入場を希望するユーザーは、インターネットにおけるＷｅｂブラウザからイベントを主催する主催者のアドレスへアクセスする。来場の受付を管理する主催者の第１サーバ装置では、ユーザーの氏名、住所、電話番号、電子メールアドレス等の属性の入力をユーザーの端末装置に指示する。ユーザーは、第１サーバ装置の指示に従って、それら属性を端末装置に入力する。それら属性は、端末装置が接続されたユーザーの第２サーバ装置から第１サーバ装置へ送信される。第１サーバ装置は、それら属性を第１サーバ装置の内部アドレスファイルに記憶した後、申込み番号や氏名等が記載された来場者登録票を生成し、それを電子メールとして第２サーバ装置に送信する。ユーザーは、送信された来場者登録票を第２サーバ装置から端末装置にダウンロードし、来場者登録票を端末装置に接続されたプリンタからプリントアウトする。来場者登録票は、イベント会場に対する入場券となる。
【０００４】
第１サーバ装置では、来場者登録票を電子メールとして第２サーバ装置に送信することの他に、属性を内部アドレスファイルに記憶した後、来場者登録票を端末装置に送信し、それを端末装置の表示部に表示させることもできる。この場合、ユーザーは、直ちに来場者登録票を端末装置に接続されたプリンタからプリントアウトすることができる。
【０００５】
【発明が解決しようとする課題】
しかし、前記来場者事前登録では、ユーザーから送信された電子メールアドレスが誤っていると、来場者登録票を電子メールとしてユーザーの第２サーバ装置に送信することができない。また、正しい電子メールアドレスを取得するためには、ユーザーへ電話で問い合わせるか、正しい電子メールアドレスの記載を要求する書面を郵送しなければならず、そのための費用と手間とがかかる。
【０００６】
本発明の目的は、受信者のサーバ装置とユーザーの端末装置とがインターネットを介して接続中に、ユーザーの電子メールアドレスの誤りを訂正することができ、正確な電子メールアドレスを受信者のサーバ装置に記憶することができるユーザー登録システムを提供することにある。
【０００７】
【課題を解決するための手段】
前述した課題を解決するために、本発明が前提とするところは、コンピュータ資源を利用してインターネットにおけるＷｅｂブラウザから所定のアドレスへアクセスしたユーザーの電子メールアドレスを、前記アドレスに対応する受信者の第１サーバ装置に登録するユーザー登録システムである。
【０００８】
かかる前提において、本発明が特徴とするところは、前記第１サーバ装置は、電子メールを送受信可能なメール送受信機能を備え、前記第１サーバ装置と前記ユーザーの端末装置とが前記インターネットを介して接続中に、前記ユーザーから送信された該ユーザーの前記電子メールアドレス宛てに、前記第１サーバ装置が生成したチェックメールを、前記端末装置に対して該チェックメールを配信可能な第２サーバ装置に送信するチェックメール送信手段と、前記第２サーバ装置から送信された前記チェックメールに対する返信コードに基づいて、該第２サーバ装置に前記電子メールアドレスが存在しないと判断した場合、前記端末装置に電子メールアドレスの再入力を指示する第１再入力指示手段と、前記第２サーバ装置から送信された前記チェックメールに対する返信コードに基づいて、該第２サーバ装置に前記電子メールアドレスが存在すると判断した場合、前記電子メールアドレスを前記第１サーバ装置の内部アドレスファイルに記憶するユーザー登録手段と、を有することにある。
【０００９】
本発明の実施の形態の一例として、前記第１サーバ装置は、前記チェックメールを送信する前に、前記ユーザーの前記電子メールアドレスが前記第１サーバ装置の内部アドレスファイルに存在するかを検索するメールアドレス検索手段を有し、前記電子メールアドレスが前記内部アドレスファイルに存在すると判断した場合、前記チェックメールを送信することなく、前記ユーザー登録手段を実行し、前記電子メールアドレスが前記内部アドレスファイルに存在しないと判断した場合、前記チェックメール送信手段を実行する。
【００１０】
本発明の実施の形態の他の一例として、前記第１サーバ装置は、前記チェックメールを送信する前に、前記ユーザーのドメインネームが前記インターネットにおけるネットワーク上に実在するかを検索するドメインネーム検索手段と、前記ドメインネームが実在しないと判断した場合、前記端末装置に電子メールアドレスの再入力を指示する第２再入力指示手段とを有し、前記ドメインネームが実在すると判断した場合、前記チェックメール送信手段を実行する。
【００１１】
本発明の実施の形態の他の一例として、前記第１サーバ装置は、前記ユーザー登録手段を実行した後に、該第１サーバ装置が生成したユーザー登録確認メールを前記第２サーバ装置に送信する確認メール送信手段を有する。
【００１２】
【発明の実施の形態】
添付の図面を参照し、本発明に係るユーザー登録システムの詳細を、イベント会場への入場申込みのときに行われるイベント来場者事前登録を例として説明すると、以下のとおりである。
【００１３】
図１，２は、一例として示すユーザー登録システムの構成図と、システムにおける各手段の順序を示すブロック図とである。図１では、第２サーバ装置３と端末装置４とを１つだけ図示しているが、現実には多数の第２サーバ装置と多数の端末装置とが存在する。
【００１４】
このシステムは、イベント主催者側に設置された第１サーバ装置１およびメール送受信サーバ２と、ユーザー側に設置された第２サーバ装置３および端末装置４とから構成されている。
【００１５】
第１サーバ装置１とメール送受信サーバ２とは、ネットワークインターフェイス（図示せず）を介して接続されている。メール送受信サーバ２は、インターネットにおけるネットワーク上に存在する多数のサーバ装置に対して電子メールを送信可能、かつ、それらサーバ装置から電子メールを受信可能なコンピュータである。メール送受信サーバ２には、他のサーバ装置に電子メールを送受信するためのソフトウェアがインストールされている。ソフトウェアのうち、電子メール送信用としては、ＳＭＴＰ（Ｓｉｍｐｌｅ Ｍａｉｌ Ｔｒａｎｓｆｅｒ Ｐｒｏｔｏｃｏｌ）を例示することができ、電子メール受信用としては、ＰＯＰ３（Ｐｏｓｔ Ｏｆｆｉｃｅ Ｐｒｏｔｏｃｏｌ Ｖｅｒｓｉｏｎ３）を例示することができる。
【００１６】
第１サーバ装置１は、中央処理部（図示せず）と、メモリ部（図示せず）とを有するパーソナルコンピュータである。メモリ部は、このシステムにおけるプログラムが記憶された命令ファイルと、ユーザーの属性を記憶する内部アドレスファイル５（図３参照）とを有する。
【００１７】
中央処理部は、オペレーションシステムによる制御に基づいて、メモリ部に記憶されているプログラムを起動し、プログラムに従って後記の各手段を実行する。中央処理部は、実行される各手段に対応するプログラムを、メモリ部から随時取り込んで解読し、必要な指令をメール送受信サーバ２や端末装置４に出力する。中央処理部は、メール送受信サーバ２に送信されたユーザーの属性を取り込み、属性毎にアドレス付けを行って内部アドレスファイル５に割り振られた各領域に格納する。
【００１８】
第１サーバ装置１では、図２に示すように、ユーザーから送信されたユーザーの電子メールアドレスにおける文字コードの正誤を判別する文字コード判別手段を実行し（Ｓ−１）、ユーザーの電子メールアドレスが第１サーバ装置１の内部アドレスファイル５にすでに存在するかを検索するアドレス検索手段を実行する（Ｓ−２）。次に、ユーザーのドメインネームが実在するかを検索するドメインネーム検索手段を実行し（Ｓ−３）、第２サーバ装置３へチェックメールを送信するチェックメール送信手段を実行する（Ｓ−４）。
【００１９】
第１サーバ装置１では、それらの手段が終了すると、ユーザーの属性を記憶するユーザー登録手段を実行し（Ｓ−５）、さらに、来場者登録票６（ユーザー登録確認メール）（図５参照）を電子メールとして第２サーバ装置３に送信する確認メール送信手段を実行する（Ｓ−６）。なお、図２は、各手段の順序の一例を示すものであり、各手段の順序を図２のそれに限定するものではない。
【００２０】
第２サーバ装置３と端末装置４とは、ネットワークインターフェイス（図示せず）を介して接続されている。第２サーバ装置３は、メール送受信サーバ２から受信した電子メールを端末装置４に配信可能、かつ、端末装置４によって作成された電子メールをインターネットにおけるネットワーク上に存在する多数のサーバ装置に送信可能なコンピュータである。第２サーバ装置３には、他のサーバ装置に電子メールを送受信するためのソフトウェアがインストールされている。端末装置４は、メール・クライアントがインストールされたパーソナルコンピュータである。
【００２１】
ユーザーの属性としては、ユーザーの電子メールアドレス、氏名または名称、郵便番号、住所または居所、電話番号がある。属性としては、それらの他に、ユーザーが個人の場合、会社内におけるユーザーの部署や役職、ユーザーの年齢や性別、ＦＡＸ番号がある。ユーザーが法人の場合では、法人の業種、代表者の氏名、ＦＡＸ番号がある。
【００２２】
図３，４は、図２のブロック図の詳細を示すフローチャート図と、端末装置４の表示部４ａに表示された表示画面の一例を示す図とであり、図５は、ユーザーに送信される来場者登録票６の一例を示す図である。
【００２３】
このシステムにおいて、イベント会場への入場を希望するユーザーが入場申込みを行うには、インターネットにおけるＷｅｂブラウザを介してユーザーが端末装置４からイベント主催者のアドレスへアクセスする。
【００２４】
端末装置４の表示部４ａには、第１サーバ装置１と端末装置４とがインターネットを介して接続された場合、図３に示すように、ユーザーの、氏名、会社名、部署、役職、郵便番号、会社住所、電話番号、ＦＡＸ番号、ｅ−ｍａｉｌアドレス（電子メールアドレス）の各属性と、それら属性を入力するための入力エリアが表示される。ユーザーは、入力エリアにそれら属性を入力し、画面の下方に表示された送信タブをクリックする。なお、表示部４ａには、図示はしていないが、送信タブをクリックした後に、再度、それら属性に対する入力ミスがないかを確認させるための登録内容確認画面を表示させることができる。
【００２５】
第１サーバ装置１は、ユーザーの属性が第２サーバ装置３からメール送受信サーバ２に送信されたことを確認し、ユーザーからのイベントに対する来場申込みを受け付ける（Ｓ−１０）。第１サーバ装置１は、ユーザーから来場申込みを受け付けた後、第１サーバ装置１と端末装置４とがインターネットを介して接続中に、以下の処理を行う。
【００２６】
第１サーバ装置１は、ユーザーの電子メールアドレスにおける文字コードの正誤を判別（文字コード判別手段）する（Ｓ−１１）。ここで、文字コードの誤りとは、電子メールアドレスが全角入力されている場合、電子メールアドレスがアルファベットではなく、漢字入力されている場合等の文法（プロトコル）上の誤りをいう。
【００２７】
第１サーバ装置１は、電子メールアドレスの文字コードに文法上の誤りがある場合、文字コード誤入力と、電子メールアドレスの再入力を指示する再入力指示とを端末装置４の表示部４ａに表示させ、ユーザーからの電子メールアドレスの再入力を待つ（Ｓ−１２）。
【００２８】
第１サーバ装置１は、電子メールアドレスに文法上の誤りがなく、文字コードが正確に入力されている場合、メモリ部の内部アドレスファイル５を検索（アドレス検索手段）し（Ｓ−１３）、ユーザーの電子メールアドレスが内部アドレスファイル５にすでに存在するか否かを判別する（Ｓ−１４）。
【００２９】
第１サーバ装置１は、内部アドレスファイル５を検索した結果、電子メールアドレスが第１サーバ装置１の内部アドレスファイル５に存在する場合、後記するＳ−１５〜Ｓ−２２までの一連の手段を実行することなく、ユーザーの属性を内部アドレスファイル５に記憶（ユーザー登録手段）する（Ｓ−２４）。
【００３０】
第１サーバ装置１は、内部アドレスファイル５を検索した結果、電子メールアドレスが内部アドレスファイル５に存在しない場合、ユーザーのドメインネームがインターネットにおけるネットワーク上に実在するか否かを検索（ドメインネーム検索手段）する（Ｓ−１５）。
【００３１】
ドメインネームの実在の有無を判別するには、第１サーバ装置１がメール送受信サーバ２を介し、インターネット上に設置された多数のＤＮＳサーバ（Ｄｏｍａｉｎ Ｎａｍｅ Ｓｙｓｔｅｍサーバ）に順次ホスト名を送信する。ＤＮＳサーバでは、インターネット上に存在する多数のメールサーバのＩＰアドレスをメール送受信サーバ２に返信する。ＩＰアドレスを受信したメール送受信サーバ２は、ＩＰアドレスに対応する多数のメールサーバにアクセスする。メール送受信サーバ２には、それらメールサーバから返信コードが送信される。メール送受信サーバ２は、返信コードを識別し、その結果を第１サーバ装置１に出力する。第１サーバ装置１は、メール送受信サーバ２から出力された返信コードの識別結果に基づいて、それらメールサーバにユーザーのドメインネームが存在するか否かを判断する。返信コードは、所定の数値であり、２５０（ドメインネームが存在する。）、２５１（そのようなドメインネームは存在しない。）がある。
【００３２】
第１サーバ装置１は、ドメインネームが実在しないと判断した場合、ドメインネームの不存在と、電子メールアドレスの再入力を指示する再入力指示（第２再入力指示手段）とを端末装置４の表示部４ａに表示させ、ユーザーからの電子メールアドレスの再入力を待つ（Ｓ−１６）。
【００３３】
第１サーバ装置１は、ドメインネームが実在すると判断した場合、チェックメールを生成し（Ｓ−１７）、チェックメールをメール送受信サーバ２へ出力する。その後、第１サーバ装置１は、ユーザーの電子メールアドレス宛てに、チェックメールの送信指令をメール送受信サーバ２へ出力する（Ｓ−１８）。メール送受信サーバ２は、第１サーバ装置１からの指令に従い、チェックメールを第２サーバ装置３へ送信（チェックメール送信手段）する（Ｓ−１９）。
【００３４】
第２サーバ装置３では、メール送受信サーバ２にチェックメールに対する返信コードを送信し、その返信コードをメール送受信サーバ２が受信する（Ｓ−２０）。メール送受信サーバ２は、返信コードを識別し、その結果を第１サーバ装置１に出力する（Ｓ−２１）。
【００３５】
返信コードは、ドメインネーム検索手段（Ｓ−１３）におけるそれと同一であり、第２サーバ装置３にユーザーの電子メールアドレスが存在する場合は２５０、第２サーバ装置３にユーザーの電子メールアドレスが存在しない場合は２５１の数値が送信される。なお、その他の返信コードとしては、４５０（メール・ボックスが使用中である。）、５５０（メール・ボックスが存在しない。）等がある。
【００３６】
第１サーバ装置１は、メール送受信サーバ２から出力された返信コードの識別結果に基づいて、第２サーバ装置３に電子メールアドレスが存在するか否かを判断する（Ｓ−２２）。
【００３７】
第１サーバ装置１は、第２サーバ装置３に電子メールアドレスが存在しないと判断した場合、電子メールアドレス不存在と、電子メールアドレスの再入力を指示する再入力指示（第１再入力指示手段）とを端末装置４の表示部４ａに表示させ、ユーザーからの電子メールアドレスの再入力を待つ（Ｓ−２３）。
【００３８】
第１サーバ装置１は、第２サーバ装置３に電子メールアドレスが存在すると判断した場合、ユーザーの属性を内部アドレスファイルに記憶（ユーザー登録手段）する（Ｓ−２４）。
【００３９】
第１サーバ装置１は、ユーザーの属性を内部アドレスファイル５に記憶した後、来場者登録票６を生成するとともに、メール送受信サーバ２を介し、来場者登録票６を電子メールとして第２サーバ装置３に送信（確認メール送信手段）する（Ｓ−２５）。
【００４０】
ユーザーは、来場者登録票６を第２サーバ装置３から端末装置４にダウンロードし、来場者登録票６を端末装置４に接続されたプリンタ（図示せず）からプリントアウトしてイベントの入場申込み手続きが完了したことを確認する。
【００４１】
また、第１サーバ装置１では、属性を内部アドレスファイル５に記憶した後、生成した来場者登録票を端末装置に送信し、それを端末装置の表示部に表示させることもできる。ユーザーは、来場者登録票を端末装置４に接続されたプリンタからプリントアウトすることができる。
【００４２】
このシステムにおいて、ユーザーのドメインネームが実在する場合でもチェックメールを第２サーバ装置に送信するのは、ユーザーのドメインネームが正確に入力されていたとしても、電子メールアドレスのうちのアカウント名が不正確に入力されている場合があり、チェックメールを送信することで、不正確なアカウント名を訂正することができるからである。
【００４３】
第１サーバ装置１では、文字コード判別手段（Ｓ−１，Ｓ−１１）と、アドレス検索手段（Ｓ−２，Ｓ−１３）と、ドメインネーム検索手段（Ｓ−３，Ｓ−１５）とを省略し、直ちに第２サーバ装置３へチェックメールを送信するチェックメール送信手段（Ｓ−４，Ｓ−１９）を実行することができる。
【００４４】
また、第１サーバ装置１では、ユーザー登録手段（Ｓ−５，Ｓ−２４）において、ユーザーの電子メールアドレスのみを記憶し、その他の属性の記憶を省略することができる。第１サーバ装置１は、メール送受信サーバ２を介することなく、それが電子メール送受信機能を備えることもできる。
【００４５】
ユーザーの端末装置４には、パーソナルコンピュータの他に、プロトコル変換ゲートウェイを用いた携帯電話を使用することができる。
【００４６】
この発明におけるユーザー登録システムは、イベント来場者事前登録の他に、インターネットを利用して製品を購入する場合やホテルや旅行の申込みをする場合、インターネット上のオンラインソフトを入手する場合、振込や振替、残高紹介等の銀行業務のサービスをインターネットを介して行うインターネットバンキングを利用する場合、証券会社に対する取引をインターネットを介して行うホームトレード証券取引を利用する場合等の各ネットビジネスについて実施することができる。
【００４７】
【発明の効果】
本発明にかかるユーザー登録システムによれば、第１サーバ装置と端末装置とがインターネットを介して接続中に、第１サーバ装置がユーザーから送信された電子メールアドレス宛てに、チェックメールを第２サーバ装置に送信し、チェックメールに対する返信コードに基づいて、第２サーバ装置に電子メールアドレスが存在しないと判断した場合、電子メールアドレスの再入力の指示を端末装置に出力させる。ゆえに、第１サーバ装置は、正確な電子メールアドレスを記憶することができ、不正確な電子メールアドレスを記憶した場合における電子メールアドレスの問い合わせや書面の郵送による手間を省くことができる。
【００４８】
第１サーバ装置がドメインネーム検索手段を有するシステムでは、ドメインネームが実在しないと判断した場合、電子メールアドレスの再入力の指示を端末装置に出力させる。ゆえに、チェックメール送信手段と相俟って、システムに電子メールアドレスに対する２重のチェック機能を持たせることができる。また、ドメインネームが実在すると判断した場合において、さらにチェックメールを第２サーバ装置に送信することにより、電子メールアドレスのうちのアカウント名の誤りを訂正することができる。
【００４９】
第１サーバ装置が内部アドレスファイルにユーザーに対応する電子メールアドレスが存在するかを検索するアドレス検索手段を有するシステムでは、電子メールアドレスが存在する場合、チェックメールを第２サーバ装置に送信することなく、直ちにユーザーの属性を記憶する属性記憶手段を実行することができるので、チェックメールを第２サーバ装置に送信するチェックメール送信手段を省くことができる。
【００５０】
【図面の簡単な説明】
【図１】一例として示すユーザー登録システムの構成図。
【図２】システムにおける各手段の順序を示すブロック図。
【図３】図２のブロック図の詳細を示すフローチャート図。
【図４】表示画面の一例を示す図。
【図５】ユーザーに送信される来場者登録票の一例を示す図。
【符号の説明】
１              第１サーバ装置
３              第２サーバ装置
４              端末装置
５              内部アドレスファイル
６              来場者登録票（ユーザー登録確認メール）
【図１】
0004404471.tif 000002
【図２】
0004404471.tif 000003
【図３】
0004404471.tif 000004
【図４】
0004404471.tif 000005
【図５】
0004404471.tif 000006